(57)【要約】【課題】特定の属性を有する通行者に配慮しつつ、セキュリティーが損なわれることを抑制することができる入退室管理システムを得る。【解決手段】入退室管理システムは、読取装置によって読み取られた識別情報から通行者の通行を許可すると判断した場合に扉の解錠を行う電気錠制御部と、許容時間リストに従って、読み取られた識別情報に対応する許容時間を決定する許容時間決定部と、扉が開いてからの経過時間が許容時間に達すれば、警報を発生させる警報装置制御部と、扉開閉時刻情報を、読み取られた識別情報と対応付けて、通行履歴情報リストに登録し、さらに、通行履歴情報リストを外部に出力する通行履歴情報登録部と、外部から入力される更新指令に従って、許容時間リストを更新する許容時間リスト更新部と、を備えて構成される。【選択図】図２
2019219843.tif 000002
【特許請求の範囲】
【請求項１】
出入口を開閉する扉の施解錠を行う電気錠と、
前記出入口を通行する通行者の識別情報を読み取る読取装置と、
警報を発生させる警報装置と、
前記読取装置によって読み取られた前記識別情報を用いて前記通行者の通行を許可するか否かを判断し、前記通行者の通行を許可すると判断した場合に前記電気錠を制御することで前記扉の解錠を行う電気錠制御部と、
前記識別情報と、前記扉が開いていることを許容する許容時間とが対応付けられた許容時間リストに従って、前記読取装置によって読み取られた前記識別情報に対応する前記許容時間を決定する許容時間決定部と、
前記扉が開いてからの経過時間が前記許容時間に達すれば、前記警報装置を制御することで前記警報を発生させる警報装置制御部と、
前記扉が開いた時刻および前記扉が閉まった時刻から構成される扉開閉時刻情報を、前記読取装置によって読み取られた前記識別情報と対応付けて、通行履歴情報リストに登録し、さらに、前記通行履歴情報リストを外部に出力する通行履歴情報登録部と、
前記外部から入力される更新指令に従って、前記許容時間リストを更新する許容時間リスト更新部と、
を備えた入退室管理システム。
【請求項２】
出入口を開閉する扉の施解錠を行う電気錠と、
前記出入口を通行する通行者の識別情報を読み取る読取装置と、
警報を発生させる警報装置と、
前記読取装置によって読み取られた前記識別情報を用いて前記通行者の通行を許可するか否かを判断し、前記通行者の通行を許可すると判断した場合に前記電気錠を制御することで前記扉の解錠を行う電気錠制御部と、
前記識別情報と、前記扉が開いていることを許容する許容時間とが対応付けられた許容時間リストに従って、前記読取装置によって読み取られた前記識別情報に対応する前記許容時間を決定する許容時間決定部と、
前記扉が開いてからの経過時間が前記許容時間に達すれば、前記警報装置を制御することで前記警報を発生させる警報装置制御部と、
前記扉が開いた時刻および前記扉が閉まった時刻から構成される扉開閉時刻情報を、前記読取装置によって読み取られた前記識別情報と対応付けて、通行履歴情報リストに登録する通行履歴情報登録部と、
前記通行履歴情報リストを参照して、前記許容時間リストを更新する許容時間リスト更新部と、
を備えた入退室管理システム。
【請求項３】
前記通行履歴情報登録部は、
前記警報が発生した場合に前記警報が発生したことを示す警報情報を、前記読取装置によって読み取られた前記識別情報と対応付けて、前記通行履歴情報リストにさらに登録する
請求項１または２に記載の入退室管理システム。
【請求項４】
前記許容時間決定部は、
前記読取装置による前記識別情報の読み取りのパターンが特定のパターンであれば、予め設定された設定時間を前記許容時間として決定する
請求項１から３のいずれか１項に記載の入退室管理システム。
【発明の詳細な説明】
【技術分野】
【０００１】
本発明は、通行者の通行が許可されている場合に電気錠が扉を解錠する入退室管理システムに関する。
【背景技術】
【０００２】
従来、通行者の通行が許可されている場合に、部屋の出入口を開閉する扉を電気錠が解錠する入退室管理システムとして、さまざまなシステムが提案されている（例えば、特許文献１参照）。
【先行技術文献】
【特許文献】
【０００３】
【特許文献１】特開２０１３−２２１３１１号公報
【発明の概要】
【発明が解決しようとする課題】
【０００４】
ここで、従来の入退室管理システムでは、扉の解錠が行われて扉が開いてからの経過時間が一定時間になると、警報が発生する。したがって、台車などを用いて荷物を運ぶ人、車椅子を利用する人などの特定の属性を有する通行者が出入口を通行する場合、出入口を通行するのに時間がかかってしまい、結果として、警報が不必要に発生してしまう可能性がある。また、このような特定の属性を有する通行者に配慮して、扉が開いてから警報が発生するまでの時間を長く設定すると、通行者が通行した後に扉が開いているにも関わらず、警報が発生するまでの時間が長くなり、結果として、セキュリティーが損なわれる可能性がある。
【０００５】
本発明は、上記のような課題を解決するためになされたものであり、特定の属性を有する通行者に配慮しつつ、セキュリティーが損なわれることを抑制することができる入退室管理システムを得ることを目的とする。
【課題を解決するための手段】
【０００６】
本発明における入退室管理システムは、出入口を開閉する扉の施解錠を行う電気錠と、出入口を通行する通行者の識別情報を読み取る読取装置と、警報を発生させる警報装置と、読取装置によって読み取られた識別情報を用いて通行者の通行を許可するか否かを判断し、通行者の通行を許可すると判断した場合に電気錠を制御することで扉の解錠を行う電気錠制御部と、識別情報と、扉が開いていることを許容する許容時間とが対応付けられた許容時間リストに従って、読取装置によって読み取られた識別情報に対応する許容時間を決定する許容時間決定部と、扉が開いてからの経過時間が許容時間に達すれば、警報装置を制御することで警報を発生させる警報装置制御部と、扉が開いた時刻および扉が閉まった時刻から構成される扉開閉時刻情報を、読取装置によって読み取られた識別情報と対応付けて、通行履歴情報リストに登録し、さらに、通行履歴情報リストを外部に出力する通行履歴情報登録部と、外部から入力される更新指令に従って、許容時間リストを更新する許容時間リスト更新部と、を備えたものである。
【発明の効果】
【０００７】
本発明によれば、特定の属性を有する通行者に配慮しつつ、セキュリティーが損なわれることを抑制することができる入退室管理システムを得ることができる。
【図面の簡単な説明】
【０００８】
【図１】本発明の実施の形態１における入退室管理システムの構成を示すブロック図である。
【図２】本発明の実施の形態１における入退室管理システムのカードリーダ、電気錠およびコントローラのそれぞれの構成を示すブロック図である。
【図３】図２の許容時間決定部が保持する許容時間リストの一例を示す図である。
【図４】図２の通行履歴情報登録部が保持する通行履歴情報リストの一例を示す図である。
【図５】本発明の実施の形態１における入退室管理システムの動作を示すフローチャートである。
【図６】本発明の実施の形態２における入退室管理システムのカードリーダ、電気錠およびコントローラのそれぞれの構成を示すブロック図である。
【発明を実施するための形態】
【０００９】
以下、本発明による入退室管理システムを、好適な実施の形態にしたがって図面を用いて説明する。なお、図面の説明においては、同一要素には同一符号を付し、重複する説明を省略する。また、本発明は、例えば倉庫、工場、病院等といった様々な場所に構築される入退室管理システムに適用可能である。
【００１０】
実施の形態１．
図１は、本発明の実施の形態１における入退室管理システムの構成を示すブロック図である。
【００１１】
図１において、入退室管理システムは、部屋の外側および内側のそれぞれに設けられるカードリーダ１と、部屋の出入口を開閉する扉（図示せず）の施解錠を行う電気錠２と、電気錠２を制御するコントローラ３と、コントローラ３との間で通信を行う中央管理装置４とを備える。
【００１２】
カードリーダ１および電気錠２は、複数の部屋のそれぞれに設けられる。各部屋に設けられるカードリーダ１および電気錠２は、コントローラ３によって制御される。コントローラ３は、建物の複数の階のそれぞれに設けられる。各階に設けられるコントローラ３は、中央管理装置４との間で通信が可能となっている。
【００１３】
図２は、本発明の実施の形態１における入退室管理システムのカードリーダ１、電気錠２およびコントローラ３のそれぞれの構成を示すブロック図である。
【００１４】
図２において、カードリーダ１は、読取装置１１および警報装置１２を備える。読取装置１１は、出入口を通行する通行者のＩＣカード（図示せず）から識別情報を読み取って取得する。ＩＣカードは、ＩＣカードを所有する通行者に固有の識別情報を保持する。識別情報としては、例えば、通行者個人を識別するための情報、通行者が所属する部署を識別するための情報、通行者が社員であるかビジターであるかを識別するための情報などが挙げられる。
【００１５】
読取装置１１によって読み取られた通行者の識別情報は、コントローラ３に与えられる。警報装置１２は、コントローラ３による制御に従って、音などの警報を発生させる。
【００１６】
電気錠２は、電気錠本体２１および開状態検出装置２２を備える。電気錠本体２１は、扉が施錠される施錠位置と、扉が解錠される解錠位置との間で変位する。電気錠本体２１が施錠位置に位置する場合には、扉が施錠され、電気錠本体２１が解錠位置に位置する場合には、扉が解錠される。開状態検出装置２２は、扉が開いている場合に、扉の状態が開状態であることを検出する。開状態検出装置２２の検出結果は、コントローラ３に与えられる。
【００１７】
コントローラ３は、例えば、演算処理を実行するマイクロコンピュータと、プログラムデータ、固定値データ等のデータを記憶するＲＯＭ（Ｒｅａｄ  Ｏｎｌｙ  Ｍｅｍｏｒｙ）と、格納されているデータを更新して順次書き換えられるＲＡＭ（Ｒａｎｄｏｍ  Ａｃｃｅｓｓ  Ｍｅｍｏｒｙ）、タイマー等によって実現される。コントローラ３は、読取装置１１によって読み取られた識別情報を読取装置１１から取得する。コントローラ３は、電気錠制御部３１、許容時間決定部３２、警報装置制御部３３、通行履歴情報登録部３４および許容時間リスト更新部３５を備える。
【００１８】
電気錠制御部３１は、読取装置１１によって読み取られた識別情報を用いて通行者の通行を許可するか否かを判断する。具体的には、電気錠制御部３１は、出入口の通行が許可されている通行者の識別情報を登録識別情報として保持する。電気錠制御部３１は、読取装置１１によって読み取られた識別情報が登録識別情報と一致すれば、通行者の通行を許可すると判断する。一方、電気錠制御部３１は、読取装置１１によって読み取られた識別情報が登録識別情報と相違すれば、通行者の通行を許可しないと判断する。
【００１９】
電気錠制御部３１は、上述の判断の結果、通行者の通行を許可すると判断した場合には、電気錠２を制御することで扉の解錠を行う。電気錠制御部３１は、扉の解錠を行ってから予め設定された時間が経過すると、電気錠２を制御することで扉の施錠を行う。一方、電気錠制御部３１は、通行者の通行を許可しないと判断した場合には、電気錠２が扉の施錠を行ったままとする。
【００２０】
許容時間決定部３２は、後述する許容時間リストを保持する。許容時間決定部３２は、許容時間リストを参照して、扉が開いていることを許容する時間である許容時間を決定する。
【００２１】
ここで、許容時間決定部３２が保持する許容時間リストの一例について、図３を参照しながら説明する。図３は、図２の許容時間決定部３２が保持する許容時間リストの一例を示す図である。
【００２２】
図３において、許容時間リストは、通行者を識別するための情報である「識別情報」と、扉が開いていることを許容する時間である「許容時間」とが対応付けられたリストである。
【００２３】
なお、図３では、許容時間リストに登録されている識別情報と許容時間との対応関係について、「Ａ」に対応する許容時間が「３０秒」であり、「Ｂ」に対応する許容時間が「６０秒」であり、「Ｃ」に対応する許容時間が「７５秒」である場合を例示している。
【００２４】
許容時間決定部３２は、許容時間リストに従って、読取装置１１によって読み取られた識別情報に対応する許容時間を決定する。
【００２５】
警報装置制御部３３は、扉の解錠が行われて扉が開いてからの経過時間が、許容時間決定部３２によって決定された許容時間に達すれば、警報装置１２を制御することで警報を発生させる。警報装置制御部３３は、開状態検出装置２２の検出結果から、扉が開いたことを確認すれば、扉が開いてからの経過時間の計測を開始する。警報装置制御部３３は、開状態検出装置２２の検出結果から、扉が閉まったことを確認すれば、計測した経過時間をリセットする。
【００２６】
通行履歴情報登録部３４は、後述する通行履歴情報リストを保持する。通行履歴情報登録部３４は、扉の解錠が行われて扉が開いた時刻と、扉が開いてその後扉が閉まった時刻とを、読取装置１１によって読み取られた識別情報と対応付けて、通行履歴情報リストに登録する。通行履歴情報登録部３４は、開状態検出装置２２の検出結果から、扉が開いたことを確認すれば、扉が開いた時刻を確定する。また、通行履歴情報登録部３４は、開状態検出装置２２の検出結果から、扉が閉まったことを確認すれば、扉が閉まった時刻を確定する。
【００２７】
通行履歴情報登録部３４は、警報装置１２によって警報が発生した場合、警報が発生したことを示す情報である警報情報を、読取装置１１によって読み取られた識別情報と対応付けて、通行履歴情報リストに登録する。また、通行履歴情報登録部３４は、通行履歴情報リストを中央管理装置４に定期的に出力する機能を有する。
【００２８】
ここで、通行履歴情報登録部３４が保持する通行履歴情報リストの一例について、図４を参照しながら説明する。図４は、図２の通行履歴情報登録部３４が保持する通行履歴情報リストの一例を示す図である。
【００２９】
図４において、通行履歴情報リストは、通行者を識別するための情報である「識別情報」と、扉が開閉した時刻を示す情報である「扉開閉時刻情報」と、警報が発生したことを示す情報である「警報情報」とが対応付けられたリストである。扉開閉時刻情報は、扉の解錠が行われて扉が開いた時刻を示す「扉開時刻」と、扉が開いてその後扉が閉まった時刻を示す「扉閉時刻」とから構成される。
【００３０】
なお、図４では、通行履歴情報リストに登録されている識別情報と扉開閉時刻情報と警報情報との対応関係について、図示するような対応関係を例示している。例えば、「Ａ」に対応する扉開時刻および扉閉時刻は、それぞれ「９：０５：１０」および「９：０５：１８」である。また、図４に示すように、「Ｂ」に対応する警報情報は、警報が発生したこと示す一方、「Ａ」および「Ｃ」のそれぞれに対応する警報情報は、警報が発生していないことを示す。
【００３１】
許容時間リスト更新部３５は、許容時間決定部３２によって保持される許容時間リストを、外部の中央管理装置４から入力される更新指令に従って更新する。
【００３２】
中央管理装置４は、ユーザが操作可能に構成されている。中央管理装置４は、ユーザの操作に従って更新指令を生成し、生成した更新指令をコントローラ３の許容時間リスト更新部３５に与える。中央管理装置４は、例えばパーソナルコンピュータを用いて構成される。
【００３３】
中央管理装置４は、通行履歴情報登録部３４に保持されている通行履歴情報リストを通行履歴情報登録部３４から定期的に取得して記憶する。中央管理装置４は、記憶している通行履歴情報リストの情報をユーザの操作に従って画面表示する。これにより、ユーザは、通行履歴情報リストの情報を確認することができる。
【００３４】
ユーザは、中央管理装置４によって画面表示された通行履歴情報リストの情報を確認した上で、中央管理装置４を操作することで、中央管理装置４側から、許容時間リストの許容時間を変更するための更新指令を許容時間リスト更新部３５に与える。これにより、ユーザは、許容時間リストにおいて、識別情報ごとに対応する許容時間を任意に変更することができる。
【００３５】
例えば、ユーザは、図４に例示される通行履歴情報リストの警報情報を参照して、識別情報である「Ｂ」に対応する通行者が警報を発生させたことを確認した場合を考える。この場合、ユーザは、「Ｂ」に対応する通行者が扉を通るのに時間がかかることから、警報を発生させないようにするため、「Ｂ」に対応する許容時間を長くする必要があると判断することが考えられる。
【００３６】
上述の場合、ユーザは、図３に例示される許容時間リストにおいて、「Ｂ」に対応する許容時間を６０秒よりも長くするために、中央管理装置４を操作する。ユーザは、中央管理装置４を操作することで、中央管理装置４側から、許容時間リストの「Ｂ」に対応する許容時間を６０秒から、６０秒よりも長い時間（例えば、７５秒）に変更するための更新指令を許容時間リスト更新部３５に与える。この場合、許容時間リスト更新部３５は、更新指令に従って、許容時間リストの「Ｂ」に対応する許容時間を６０秒から、６０秒よりも長い時間に更新する。これにより、読取装置１１によって読み取られた識別情報が「Ｂ」である場合、許容時間決定部３２によって決定される許容時間が６０秒よりも長い時間となる。
【００３７】
次に、本実施の形態１における入退室管理システムの動作について、図５を参照しながら説明する。図５は、本発明の実施の形態１における入退室管理システムの動作を示すフローチャートである。カードリーダ１によってＩＣカードの識別情報が読み取られ、コントローラ３がその識別情報を取得した場合に、図５に示すフローチャートの処理が実行される。
【００３８】
ステップＳ１０１において、電気錠制御部３１は、読取装置１１から取得した識別情報を用いて、通行者の通行を許可するか否かを判断する。通行者の通行を許可すると判断された場合には、処理がステップＳ１０２へと進み、通行者の通行を許可しないと判断された場合には、処理が終了となる。
【００３９】
ステップＳ１０２において、電気錠制御部３１は、電気錠２を制御することで、扉の解錠を行う。その後、処理がステップＳ１０３へと進む。
【００４０】
ステップＳ１０３において、許容時間決定部３２は、許容時間リストに従って、読取装置１１から取得した識別情報に対応する許容時間を決定する。その後、処理がステップＳ１０４へと進む。
【００４１】
ステップＳ１０４において、警報装置制御部３３は、開状態検出装置２２の検出結果から、扉が開いたか否かを判断する。扉が開いたと判断された場合には、処理がステップＳ１０５へと進み、扉が開いていないと判断された場合には、ステップＳ１０４が再度実行される。
【００４２】
ステップＳ１０５において、警報装置制御部３３は、扉が開いてからの経過時間が、ステップＳ１０３で決定された許容時間に達したか否かを判断する。経過時間が許容時間に達したと判断された場合には、処理がステップＳ１０８へと進み、経過時間が許容時間に達していないと判断された場合には、処理がステップＳ１０６へと進む。
【００４３】
ステップＳ１０６において、警報装置制御部３３は、開状態検出装置２２の検出結果から、扉が閉まったか否かを判断する。扉が閉まったと判断された場合には、処理がステップＳ１０７へと進み、扉が閉まっていないと判断された場合には、処理がステップＳ１０５へと戻る。
【００４４】
ステップＳ１０７において、通行履歴情報登録部３４は、読取装置１１から取得した識別情報と対応付けて、扉開閉時刻情報を構成する扉開時刻および扉閉時刻を、通行履歴情報リストに登録する。その後、処理が終了となる。ステップＳ１０７の処理後、電気錠制御部３１は、電気錠２を制御することで扉の施錠を行う。
【００４５】
ステップＳ１０８において、警報装置制御部３３は、警報装置１２を制御することで、警報を発生させる。その後、処理がステップＳ１０９へと進む。
【００４６】
ステップＳ１０９において、警報装置制御部３３は、開状態検出装置２２の検出結果から、扉が閉まったか否かを判断する。扉が閉まったと判断された場合には、処理がステップＳ１１０へと進み、扉が閉まっていないと判断された場合には、処理がステップＳ１０８へと戻る。
【００４７】
ステップＳ１１０において、通行履歴情報登録部３４は、読取装置１１から取得した識別情報と対応付けて、扉開閉時刻情報を構成する扉開時刻および扉閉時刻と、警報情報とを、通行履歴情報リストに登録する。その後、処理が終了となる。ステップＳ１１０の処理後、電気錠制御部３１は、電気錠２を制御することで扉の施錠を行う。
【００４８】
以上、本実施の形態１によれば、入退室管理システムは、読取装置によって読み取られた識別情報から通行者の通行を許可すると判断した場合に扉の解錠を行う電気錠制御部と、許容時間リストに従って、読み取られた識別情報に対応する許容時間を決定する許容時間決定部と、扉が開いてからの経過時間が許容時間に達すれば、警報を発生させる警報装置制御部と、扉開閉時刻情報を、読み取られた識別情報と対応付けて、通行履歴情報リストに登録し、さらに、通行履歴情報リストを外部に出力する通行履歴情報登録部と、外部から入力される更新指令に従って許容時間リストを更新する許容時間リスト更新部と、を備えて構成される。
【００４９】
これにより、外部からの操作によって更新可能な許容時間リストに従って、読取装置によって読み取られた識別情報に対応する許容時間が決定されるので、ユーザは、通行者の属性に対応して許容時間を自在に設定することができる。したがって、許容時間を長くする必要がある通行者に対して許容時間を通常時間よりも長い時間に設定することができるとともに、許容時間を長くする必要がない通行者に対して許容時間を通常時間に設定することができる。また、通行者ごとに許容時間を変化させることができるので、通行者に応じた許容時間の設定が可能となる。このように、入退室管理システムにおいて、特定の属性を有する通行者に配慮しつつ、セキュリティーが損なわれることを抑制することができる。
【００５０】
実施の形態２．
本発明の実施の形態２では、先の実施の形態１と機能が異なる入退室管理システムについて説明する。なお、本実施の形態２では、先の実施の形態１と同様である点の説明を省略し、先の実施の形態１と異なる点を中心に説明する。
【００５１】
ここで、先の実施の形態１では、許容時間リスト更新部３５は、許容時間決定部３２によって保持される許容時間リストを、中央管理装置４からの更新指令に従って更新するように構成される。これに対して、本実施の形態２では、許容時間リスト更新部３５は、通行履歴情報登録部３４によって保持されている通行履歴情報リストを参照して、許容時間リストを更新するように構成されている。
【００５２】
図６は、本発明の実施の形態２における入退室管理システムのカードリーダ１、電気錠２およびコントローラ３のそれぞれの構成を示すブロック図である。
【００５３】
図６において、例えば、許容時間リスト更新部３５は、図４に例示される通行履歴情報リストの警報情報を参照して、識別情報である「Ｂ」に対応する通行者が警報を発生させたことを確認すると、次のような動作を行う。すなわち、許容時間リスト更新部３５は、許容時間リストの「Ｂ」に対応する許容時間である６０秒を、予め設定された時間（例えば、１５秒）だけ長くすることで、許容時間リストの「Ｂ」に対応する許容時間を６０秒から、６０秒よりも長い時間に更新する。
【００５４】
また、例えば、許容時間リスト更新部３５は、図４に例示される通行履歴情報リストの扉開閉時刻情報を参照して、識別情報ごとに、最適な許容時間を決定し、許容時間リストの識別情報ごとに、すでに登録済みの許容時間を、決定した最適な許容時間に更新する。
【００５５】
許容時間リスト更新部３５が最適な許容時間を決定する具体的な方法としては、例えば、次のような方法が考えられる。すなわち、許容時間リスト更新部３５は、通行履歴情報リストの識別情報ごとに、登録されている時系列的に最新の扉開閉時刻情報における扉閉時刻と扉開時刻との間の時間を算出する。許容時間リスト更新部３５は、識別情報ごとに、算出した時間を最適な許容時間として決定する。なお、最適な許容時間は、登録されている扉開閉時刻情報ごとに算出された時間の平均値としてもよい。
【００５６】
以上、本実施の形態２によれば、入退室管理システムは、読取装置によって読み取られた識別情報から通行者の通行を許可すると判断した場合に扉の解錠を行う電気錠制御部と、許容時間リストに従って、読み取られた識別情報に対応する許容時間を決定する許容時間決定部と、扉が開いてからの経過時間が許容時間に達すれば、警報を発生させる警報装置制御部と、扉開閉時刻情報を、読み取られた識別情報と対応付けて、通行履歴情報リストに登録する通行履歴情報登録部と、通行履歴情報リストを参照して、許容時間リストを更新する許容時間リスト更新部と、を備えて構成されている。
【００５７】
これにより、自動的に更新可能な許容時間リストに従って、読取装置によって読み取られた識別情報に対応する許容時間が決定されるので、通行者の属性に対応する許容時間の自動的な設定が可能となる。したがって、先の実施の形態１と同様の効果が得られる。
【００５８】
実施の形態３．
本発明の実施の形態３では、先の実施の形態１または２の構成に対して、許容時間決定部３２が通行者の特定の動作に従って許容時間を決定するように構成された入退室管理システムについて説明する。
【００５９】
ここで、先の実施の形態１および２のそれぞれでは、許容時間決定部３２は、許容時間リストに従って、読取装置１１によって読み取られた識別情報に対応する許容時間を決定するように構成される。これに対して、本実施の形態３では、許容時間決定部３２は、際の実施の形態１または２の構成に加えて、さらに、読取装置１１による識別情報の読み取りのパターンが特定のパターンであれば、許容時間リストに関係なく、予め設定された設定時間を許容時間として決定するように構成される。
【００６０】
例えば、通行者は、許容時間を通常よりも長くすることを希望しない場合には、自身が所有するＩＣカードをカードリーダ１に１回かざす通常の動作を行う。このような通常の動作が行われると、カードリーダ１の読取装置１１は、ＩＣカードの識別情報を１回読み取る。
【００６１】
上述の場合、許容時間決定部３２は、読取装置１１による識別情報の読み取りのパターンが、読取装置１１によって１回読み取られる通常のパターンであることを確認する。許容時間決定部３２は、このような通常のパターンを確認すると、先の実施の形態１または２と同様に、許容時間リストに従って、識別情報に対応する許容時間を決定する。
【００６２】
これに対して、通行者は、通常よりも許容時間を長くすることを希望する場合には、自身が所有するＩＣカードをカードリーダ１に２回連続してかざす特定の動作を行う。このような特定の動作が行われると、カードリーダ１の読取装置１１は、ＩＣカードの識別情報を２回連続して読み取る。
【００６３】
上述の場合、許容時間決定部３２は、読取装置１１による識別情報の読み取りのパターンが、読取装置１１によって２回連続して読み取られる特定のパターンであることを確認する。許容時間決定部３２は、このような特定のパターンを確認すると、許容時間リストを用いずに、予め設定された設定時間を許容時間として決定する。
【００６４】
なお、上述の設定時間は、ユーザによってコントローラ３に任意に設定可能である。また、上述の特定のパターンは、通常のパターンと異なっていれば、どのようなパターンであってもよい。
【００６５】
以上、本実施の形態３によれば、入退室管理システムは、先の実施の形態１または２の構成に対して、読取装置による識別情報の読み取りのパターンが特定のパターンであれば、予め設定された設定時間を許容時間として決定するようにさらに構成されている。これにより、先の実施の形態１または２と同様の効果が得られるとともに、さらに、通行者の特定の動作による許容時間の決定が可能となる。
【００６６】
なお、実施の形態１〜３について個別に説明してきたが、実施の形態１〜３のそれぞれで開示した構成例は、任意に組み合わせることが可能である。
【符号の説明】
【００６７】
１  カードリーダ、１１  読取装置、１２  警報装置、２  電気錠、２１  電気錠本体、２２  開状態検出装置、３  コントローラ、３１  電気錠制御部、３２  許容時間決定部、３３  警報装置制御部、３４  通行履歴情報登録部、３５  許容時間リスト更新部、４  中央管理装置。
【図１】
2019219843.tif 000003
【図２】
2019219843.tif 000004
【図３】
2019219843.tif 000005
【図４】
2019219843.tif 000006
【図５】
2019219843.tif 000007
【図６】
2019219843.tif 000008